(57)【特許請求の範囲】
【請求項１】
ワイヤレス通信システムにおいてアップリンクフレームを受信するための方法であって、
アクセスポイント(AP)によって、アップリンク直交周波数分割多元接続(OFDMA)フレームを受信するステップであって、前記アップリンクOFDMAフレームが、データトーン、ヌルトーン、およびパイロットトーンを含む、20メガヘルツ(MHz)チャネル上の256個のトーンを有し、前記データトーンおよび前記パイロットトーンが、複数のリソースユニット(RU)に分割され、前記アップリンクOFDMAフレームが、異なるモバイルデバイスによって通信される前記リソースユニット(RU)を含み、前記アップリンクOFDMAフレーム内の前記RUの各々が、少なくとも2つの別々のパイロットトーンを運び、前記少なくとも2つの別々のパイロットトーンが、前記アップリンクOFDMAフレーム内で別々のパイロット信号を運ぶために使用される、ステップと、
前記RUによって運ばれた前記別々のパイロット信号の位相成分を追跡することによって、前記アップリンクOFDMAフレームに対して残留キャリア周波数オフセット推定を実行するステップとを含む、方法。
【請求項２】
複数のRUが、26個のデータトーンおよび2つのパイロットトーンからなる28トーンのRUを含む、請求項１に記載の方法。
【請求項３】
プロセッサと、
前記プロセッサによって実行するためのプログラムを記憶するコンピュータ可読ストレージ媒体とを含み、前記プログラムが、
アップリンク直交周波数分割多元接続(OFDMA)フレームを受信することであって、前記アップリンクOFDMAフレームが、データトーン、ヌルトーン、およびパイロットトーンを含む、20メガヘルツ(MHz)チャネル上の256個のトーンを有し、前記データトーンおよび前記パイロットトーンが、複数のリソースユニット(RU)に分割され、前記アップリンクOFDMAフレームが、異なるモバイルデバイスによって通信される前記リソースユニット(RU)を含み、前記アップリンクOFDMAフレーム内の前記RUの各々が、少なくとも2つの別々のパイロットトーンを運び、前記少なくとも2つの別々のパイロットトーンが、前記アップリンクOFDMAフレーム内で別々のパイロット信号を運ぶために使用される、受信することと、
RUによって運ばれた前記別々のパイロット信号の位相成分を追跡することによって、前記アップリンクOFDMAフレームに対して残留キャリア周波数オフセット推定を実行することとを行うための命令を含む、装置。
【請求項４】
複数のRUが、26個のデータトーンおよび2つのパイロットトーンからなる28トーンのRUを含む、請求項３に記載の装置。
【請求項５】
ワイヤレスネットワークにおいてアップリンク信号を送信するための方法であって、
第1のモバイルデバイスによって、アップリンク直交周波数分割多元接続(OFDMA)フレーム内で第1のリソースユニット(RU)を送信するステップであって、前記アップリンクOFDMAフレームが、データトーン、ヌルトーン、およびパイロットトーンを含む、20メガヘルツ(MHz)チャネル上の256個のトーンを有し、前記データトーンおよび前記パイロットトーンが、複数のリソースユニット(RU)に分割され、前記OFDMAフレームが、前記第1のRUおよび第2のモバイルデバイスによって送信された少なくとも第2のRUを運び、前記第1のRUが、少なくとも2つのパイロットトーンを運び、前記第2のRUが、前記第1のRU内で運ばれる少なくとも2つのパイロットトーンとは別々である少なくとも2つのパイロットトーンを運ぶ、ステップを含み、
RUによって運ばれた前記別々のパイロット信号の位相成分を追跡することによって、前記アップリンクOFDMAフレームに対してキャリア周波数オフセット推定を実行するために、前記第1のRU内で運ばれた少なくとも2つのパイロットトーンおよび前記第2のRU内で運ばれた少なくとも2つのパイロットトーンが、別々のパイロット信号を運ぶために使用されるとともに、アクセスポイントによって使用される、方法。
【請求項６】
前記第1のRUが、26個のデータトーンおよび2つのパイロットトーンからなる28トーンのRUである、請求項５に記載の方法。
【請求項７】
プロセッサと、
前記プロセッサによって実行するためのプログラムを記憶するコンピュータ可読ストレージ媒体とを含み、前記プログラムが、
アップリンク直交周波数分割多元接続(OFDMA)フレーム内で第1のリソースユニット(RU)を送信することであって、前記アップリンクOFDMAフレームが、データトーン、ヌルトーン、およびパイロットトーンを含む、20メガヘルツ(MHz)チャネル上の256個のトーンを有し、前記データトーンおよび前記パイロットトーンが、複数のリソースユニット(RU)に分割され、前記OFDMAフレームが、前記第1のRUおよび第2のモバイルデバイスによって送信された少なくとも第2のRUを運び、前記第1のRUが、少なくとも2つのパイロットトーンを運び、前記第2のRUが、前記第1のRU内で運ばれる少なくとも2つのパイロットトーンとは別々である少なくとも2つのパイロットトーンを運ぶ、送信することを行うための命令を含み、
RUによって運ばれた前記別々のパイロット信号の位相成分を追跡することによって、前記アップリンクOFDMAフレームに対してキャリア周波数オフセット推定を実行するために、前記第1のRU内で運ばれた少なくとも2つのパイロットトーンおよび前記第2のRU内で運ばれた少なくとも2つのパイロットトーンが、別々のパイロット信号を運ぶために使用されるとともに、アクセスポイントによって使用される、装置。
【請求項８】
前記第1のRUが、26個のデータトーンおよび2つのパイロットトーンからなる28トーンのRUである、請求項７に記載の装置。
【発明の詳細な説明】
【技術分野】
【０００１】
本特許出願は、2014年6月12日に出願した、「System and Method for OFDMA Tone Allocation in Next Generation Wi-Fi Networks」と題した米国仮出願第62/011,475号、2014年7月3日に出願した、「System and Method for Orthogonal Frequency Division Multiple Access」と題した米国仮出願第62/020,902号、および2014年7月23日に出願した、「System and Method for OFDMA Resource Allocation」と題した米国仮出願第62/028,208号の優先権を主張するものであり、これらの出願の各々は、その全体が転載されているかのように参照により本明細書に組み込まれる。
【０００２】
本発明は、ワイヤレス通信のためのシステムおよび方法に関し、特定の実施形態においては、次世代Wi-FiネットワークにおけるOFDMAトーン割り振りのためのシステムおよび方法に関する。
【背景技術】
【０００３】
次世代ワイヤレスローカルエリアネットワーク(WLAN)は、同じ地理的地域内の多数の移動局にワイヤレスアクセスを提供する複数のアクセスポイントを含む高密度環境内に展開される。また、次世代WLANは、モバイルデバイスがストリーミングビデオ、モバイルゲーム、およびその他のサービスにアクセスするためにますます使用されるので、多様なサービス品質(QoS)の要件を有する様々なトラフィックの種類を同時にサポートする必要がある。米国電気電子学会(IEEE) 802.11axが、これらの課題に対応するために開発されており、最大でIEEE 802.11acネットワークの4倍のスループットを提供すると期待されている。
【発明の概要】
【課題を解決するための手段】
【０００４】
技術的な利点は、概して、次世代Wi-FiネットワークにおけるOFDMAトーン割り振りのためのシステムおよび方法を説明する本開示の実施形態によって実現される。
【０００５】
実施形態によれば、ワイヤレスネットワークにおいてアップリンクフレームを受信するための方法が提供される。この例において、方法は、20メガヘルツ(MHz)周波数チャネル上でアップリンク直交周波数分割多元接続(OFDMA)フレームを受信するステップを含む。アップリンクOFDMAフレームは、異なるモバイルデバイスによって伝達されるリソースユニット(RU)を含む。OFDMAフレーム内のRUの各々は、別々のパイロット信号を運ぶ。方法は、RUによって運ばれた別々のパイロット信号に従ってアップリンクOFDMAフレームに対して残留キャリア周波数オフセット推定(residual carrier frequency offset estimation)を実行するステップをさらに含む。この方法を実行するための装置も、提供される。
【０００６】
実施形態によれば、ワイヤレスネットワークにおいてアップリンク信号を送信するための方法が提供される。この例において、方法は、アップリンク直交周波数分割多元接続(OFDMA)フレーム内で第1のリソースユニット(RU)を送信するステップを含む。OFDMAフレームは、第1のRUおよび第2のモバイルデバイスによって送信された少なくとも第2のRUを運ぶ。第1のRUは、第1のパイロット信号を運び、第2のRUは、第1のパイロット信号とは別々である第2のパイロット信号を運ぶ。この方法を実行するための装置も、提供される。
【０００７】
実施形態によれば、ワイヤレス通信システムにおいてリソースユニットを送信するための方法が提供される。この例において、方法は、20メガヘルツ(MHz)周波数チャネル上で伝達するための直交周波数分割多元接続(OFDMA)フレームを生成するステップを含む。OFDMAフレームは、228個のデータおよびパイロットトーンならびに28個のヌルトーンからなる256トーンのペイロードを含む。28個のヌルトーンは、ガードトーンおよび少なくとも1つの直流(DC)トーンからなる。方法は、OFDMAフレームを少なくとも1つの受信機に送信するステップをさらに含む。この方法を実行するための装置も、提供される。
【０００８】
別の実施形態によれば、ワイヤレス通信システムにおいてリソースユニットを送信するための別の方法が提供される。この例において、方法は、20メガヘルツ(MHz)周波数チャネル上で伝達するための直交周波数分割多元接続(OFDMA)フレームを生成するステップを含む。OFDMAフレームは、224個のデータおよびパイロットトーンならびに32個のヌルトーンからなる256トーンのペイロードを含む。32個のヌルトーンは、ガードトーンおよび少なくとも1つの直流(DC)トーンからなる。方法は、OFDMAフレームを少なくとも1つの受信機に送信するステップをさらに含む。この方法を実行するための装置も、提供される。
【０００９】
本開示およびその利点のより完全な理解のために、ここで、添付の図面と併せて考慮される以下の説明に対する参照がなされる。
【図面の簡単な説明】
【００１０】
【図１】実施形態のワイヤレス通信ネットワークの図である。
【図２】実施形態のアップリンクOFDMAフレームの図である。
【図３】OFDMAフレームの256トーンのペイロードのための実施形態のトーン割り振り方式の図である。
【図４】OFDMAのリソースユニット(RU)のための実施形態のトーン割り振り方式の図である。
【図５】アップリンクOFDMAフレームを受信するための実施形態の方法の流れ図である。
【図６】IFFTモジュールの入力/出力構成の図である。
【図７】実施形態の処理システムの図である。
【図８】実施形態のトランシーバの図である。
【発明を実施するための形態】
【００１１】
異なる図中の対応する番号および符号は、概して、別途示されない限り、対応する部分を指す。図は、実施形態の関連する態様を明瞭に示すように描かれており、必ずしも正しい縮尺で描かれていない。
【００１２】
実施形態の作製および使用が、以下で詳細に検討される。しかし、本発明は、多種多様な具体的な文脈で実施され得る多くの応用可能な発明の概念を提供することを理解されたい。検討される特定の実施形態は、本発明を作製および使用する特定の方法を例示するに過ぎず、本発明の範囲を限定しない。OFDMAトーン割り振りは、米国仮出願第14/738,411号において検討されており、この出願は、その全体が転載されているかのように参照により本明細書に組み込まれる。
【００１３】
IEEE 802.11axネットワークは、単一のOFDMAフレームの異なるリソースユニット(RU)が異なるモバイルデバイスによって伝達されるようにアップリンク送信のためにOFDMAを利用する。特に、異なるモバイルデバイスによって送信されるRUは、周波数領域において完全に位置を合わせられていない可能性があり、このことは、サブキャリア間の直交性を失う結果となる可能性がある。本開示の態様は、アクセスポイント(AP)が受信すると残留キャリア周波数オフセット補償(residual carrier frequency offset compensation)を実行することを可能にするために、アップリンクOFDMAフレームのリソースユニット(RU)にパイロットシンボルを含める。アクセスポイントは、それぞれのRU内で運ばれるパイロットに基づいてRU内のシンボルの位相を追跡することによって残留周波数オフセット補償(residual frequency offset compensation)を実行し得る。一部の実施形態においては、単一のパイロットが各RU内で運ばれる。その他の実施形態においては、複数のパイロットが各RU内で運ばれる。一例において、アップリンクOFDMAフレームは、12個のデータトーンおよび2つのパイロットトーンからなる14個のトーンのRUを運ぶ。別の例において、アップリンクOFDMAフレームは、14個のデータトーンおよび2つのパイロットトーンからなる16個のトーンのRUを運ぶ。さらに別の実施形態において、アップリンクOFDMAフレームは、26個のデータトーンおよび2つのパイロットトーンからなる28個のトーンのRUを運ぶ。
【００１４】
本開示の態様は、IEEE 802.11axネットワークのための実施形態のOFDMAフレームのトーンの割り振りを提供する。一実施形態において、OFDMAフレームは、228個のデータおよびパイロットトーンならびに28個のヌルトーンからなる256トーンのペイロードを含む。28個のヌルトーンは、ガードトーンおよび少なくとも1つの直流(DC)トーンからなる。一例において、256トーンのペイロードは、224個のデータトーン、4つの共通パイロットトーン、および28個のヌルトーンからなる。別の例において、256トーンのペイロードは、222個のデータトーン、6つの共通パイロットトーン、および28個のヌルトーンからなる。さらに別の例において、256トーンのペイロードは、220個のデータトーン、8つの共通パイロットトーン、および28個のヌルトーンからなる可能性がある。OFDMAフレームは、ダウンリンクOFDMAフレームまたはアップリンクOFDMAフレームである可能性がある。
【００１５】
別の実施形態において、OFDMAフレームは、224個のデータおよびパイロットトーンならびに32個のヌルトーンからなる256トーンのペイロードを含む。一例において、256トーンのペイロードは、220個のデータトーン、4つの共通パイロットトーン、および32個のヌルトーンからなる。別の例において、256トーンのペイロードは、218個のデータトーン、6つの共通パイロットトーン、および32個のヌルトーンからなる。さらに別の例において、256トーンのペイロードは、216個のデータトーン、8つの共通パイロットトーン、および32個のヌルトーンからなる。OFDMAフレームは、ダウンリンクOFDMAフレームまたはアップリンクOFDMAフレームである可能性がある。これらのおよびその他の態様が、以下でより詳細に説明される。
【００１６】
図1は、データを伝達するためのワイヤレスネットワーク100を示す。ワイヤレスネットワーク100は、カバーエリア101を有するアクセスポイント(AP) 110、複数のモバイルデバイス120、およびバックホールネットワーク130を含む。AP 110は、とりわけ、基地局、拡張型基地局(enhanced base station)(eNB)、フェムトセル、およびその他のワイヤレス対応デバイスなどの、モバイルデバイス120とのアップリンク(破線)および/またはダウンリンク(点線)接続を確立することによってワイヤレスアクセスを提供することができる任意の構成要素を含み得る。モバイルデバイス120は、移動局(STA)、またはその他のワイヤレス対応デバイスなどの、AP 110とのワイヤレス接続を確立することができる任意の構成要素を含み得る。バックホールネットワーク130は、データがAP 110と遠隔端末(remote end)との間でやりとりされることを可能にする任意の構成要素または構成要素の集合である可能性がある。一部の実施形態においては、複数のそのようなネットワークが存在する可能性があり、および/またはネットワークが中継器、低電力ノードなどの様々なその他のワイヤレスデバイスを含む可能性がある。
【００１７】
本開示の態様は、直交周波数分割多元接続(OFDMA)フレーム内で運ばれるRUに別々のパイロット信号を含める。図2は、複数のRU 220、230、240を運ぶアップリンクOFDMAフレーム200を示し、複数のRU 220、230、240の各々は、それぞれ、1つまたは複数の別々のパイロットトーン222、232、242を含む。RU 220、230、240の少なくとも一部は、異なる移動局によって送信される。OFDMAフレーム内で運ばれるRUの数は、OFDMAフレームおよび/またはRUの特徴(たとえば、サイズ)に応じて決まる可能性があることを理解されたい。別々のパイロットトーン222、232、242は、対応するRU 220、230、240に専用である可能性がある。一部の実施形態においては、RU 220、230、240の各々が、単一のパイロットトーンを運ぶ。その他の実施形態においては、RU 220、230、240のうちの少なくとも1つが、複数のパイロットトーンを運ぶ。一部の実装においては、異なるRU 220、230、240が、異なる数のパイロットトーンを運ぶ。アップリンクOFDMAフレーム200を受信するアクセスポイント(AP)は、それぞれのRU 220、230、240によって運ばれる別々のパイロットトーン222、232、242に従ってアップリンクOFDMAフレーム200に対して残留キャリア周波数オフセット推定を実行し得る。
【００１８】
図3は、20MHz周波数チャネル上で伝達されるべきOFDMAフレーム内の256トーンのペイロード300のための実施形態のトーン割り振り方式の図を示す。OFDMAフレームは、ダウンリンクOFDMAフレームまたはアップリンクOFDMAフレームである可能性がある。示されるように、256トーンのペイロード300は、データおよびパイロットトーン310ならびにヌルトーンを含む。ヌルトーン306は、ガードトーンおよび少なくとも1つの直流(DC)トーンからなる。ガードトーンは、OFDMAシンボルの重なり合いを防止し、シンボル間干渉を削減し得る。DCトーンは、最初のおよび/または最後のサブキャリアに置かれる可能性があり、ガードトーンは、OFDMAフレームの真ん中のサブキャリアの周りまたは近くに置かれる可能性がある。データおよびパイロットトーン310は、複数のリソースユニット(RU) 320に区切られる可能性がある。
【００１９】
一実施形態において、256トーンのペイロード300は、228個のデータおよびパイロットトーン310ならびに28個のヌルトーン306からなる。一例において、228個のデータおよびパイロットトーン310は、224個のデータトーンおよび4つの共通パイロットトーンからなる。別の例において、228個のデータおよびパイロットトーン310は、222個のデータトーンおよび6つの共通パイロットトーンからなる。さらに別の例において、228個のデータおよびパイロットトーン310は、220個のデータトーンおよび8つの共通パイロットトーンからなる。
【００２０】
別の実施形態において、256トーンのペイロード300は、224個のデータおよびパイロットトーン310ならびに32個のヌルトーン306からなる。一例において、224個のデータおよびパイロットトーン310は、220個のデータトーンおよび4つの共通パイロットトーンからなる。別の例において、224個のデータおよびパイロットトーン310は、218個のデータトーンおよび6つの共通パイロットトーンからなる。さらに別の例において、224個のデータおよびパイロットトーン310は、216個のデータトーンおよび8つの共通パイロットトーンからなる。
【００２１】
データおよびパイロットトーン310の少なくとも一部は、1つまたは複数のリソースユニット(RU) 320に区切られる可能性があり、1つまたは複数の(RU) 320は、OFDMAフレーム200上に分散される可能性がある。図4は、OFDMAのリソースユニット(RU) 400のための実施形態のトーン割り振り方式の図を示す。示されるように、OFDMAのRU 400は、データトーン421およびパイロットトーン422を含む。一実施形態において、OFDMAのRU 400は、12個のデータトーン421および2つのパイロットトーン422からなる14個のトーンのRUである。さらに別の実施形態において、OFDMAのRU 400は、26個のデータトーン421および2つのパイロットトーン422からなる28個のトーンのRUである。
【００２２】
図5は、アクセスポイント(AP)によって実行される可能性がある、アップリンクOFDMAフレームを受信するための実施形態の方法500の流れ図を示す。示されるように、方法500は、APが異なる移動局によって伝達されるRUを運ぶOFDMAフレームを受信するステップ510において始まる。RUの各々は、別々のパイロット信号を運ぶ。次に、方法500は、ステップ520に進み、ステップ520において、APは、RUの各々によって運ばれたパイロット信号に従ってアップリンクOFDMAフレームに対して残留キャリア周波数オフセット推定を実行する。残留周波数オフセット補償は、OFDMA送信において運ばれる個別パイロットに基づいてキャリア周波数オフセットを推定することを含む可能性がある。アップリンク(UL) OFDMA送信に関して、残留キャリア周波数オフセット補償は、アクセスポイントがリソースユニット(RU)内で運ばれるパイロットに基づいて各シンボルの位相を追跡することを可能にし得る。
【００２３】
特に、残留キャリア周波数オフセット補償は、OFDMシンボル内で運ばれるパイロットに基づいてダウンリンク(DL) OFDMA送信に対して実行される可能もある。残留キャリア周波数オフセット補償は、次の式、すなわち、Yn,k = HkPn,kej2πnεによって表される可能性があり、ここで、Yは受信された信号であり、nはシンボルのインデックスであり、kはパイロットが位置するサブキャリアのインデックスであり、Hはチャネルであり、Pはパイロットであり、εは残留キャリア周波数オフセット(residual carrier frequency offset)である。一実施形態において、残留キャリア周波数オフセット補償は、次の式、すなわち、
【００２４】
【数１】
0006500916.tif 000002
【００２５】
に従って実行される可能性があり、ここで、
【００２６】
【数２】
0006500916.tif 000003
【００２７】
である。
【００２８】
TGaxの802.11は、OFDMAを新しいスペクトル利用方法として採用するので、周波数領域における最小のリソースユニット(RU)に対して粒度(granularity)を設定するための技術が必要とされる。粒度の様々なあり得る組合せのための最初のトーンの割り振りは、2014年5月21日に出願した米国仮出願第62/001,394号において提案されており、この出願は、その全体が転載されているかのように参照により本明細書に組み込まれる。本開示の態様は、追加的なトーン割り振りの設計/パターンを提供する。
【００２９】
本開示の実施形態は、20MHz毎の256 FFTを用いるOFDMシンボルのトーン割り振りを設定する。米国仮出願第62/001,394号における提案は、20MHz毎の256 FFTのためにガードトーンの数を27個に設定し、DCヌルを1つに設定し、それによって、データおよびパイロットトーンのための228個の利用可能なトーンを提供する。一部の実装において、228個のトーンは、OFDMAシンボルまたはRUにおけるパイロットの数をサポートするのに十分なトーンを持たない可能性がある。本開示の態様は、代替的なトーン割り振りを提供する。
【００３０】
DL OFDMAにおいては、4つ、6つ、または8つのパイロットが存在する可能性がある。UL OFDMAに関しては、各RUのために1つまたは複数のパイロット(たとえば、1つのパイロット、2つのパイロットなど)が存在する可能性がある。本開示の態様は、データおよびパイロットのための利用可能な224個のトーンを提供し、32個のトーンが、ガードトーンおよびDCヌルトーンのために予約される。224個のデータおよびパイロットトーンがDL OFDMAのために提供される場合、20MHzのOFDMAシンボルにおいて4つ、6つ、または8つのパイロットをサポートし、220、218、または216個のトーンがデータを運ぶために利用可能であることがあり得る。一部の実施形態において、チャネルエンコーダにおける入力および出力ビットは、一部のまたはすべてのMCSの場合に関して整数の倍数である。
【００３１】
UL OFDMAに関して、あらゆるRUのためにパイロットが与えられる可能性がある。20MHzのOFDMAシンボル毎に16個のRUが存在するときは、各RUのために14個のトーン(たとえば、12個のデータトーンおよび2つのパイロットトーン)が与えられる可能性がある。20MHzのOFDMAシンボル毎に14個のRUが存在するときは、各RUのために16個のトーン(14個のデータトーンおよび2つのパイロットトーン)が与えられる可能性がある。20MHzのOFDMAシンボル毎に8つのRUが存在するときは、各RUのために28個のトーン(26個のデータトーンおよび2つのパイロットトーン)が与えられる可能性がある。その他の組合せも、あり得る。
【００３２】
図6は、IFFTモジュールの入力/出力構成を示す。逆FFT(IFFT)モジュールの入力/出力構成は、上述の提案されたトーン割り当てに基づいて更新される可能性がある。本開示の実施形態は、本開示によって提案されるトーン割り振りのための802.11ac TXのスペクトルマスクの下での20MHz毎の256 FFTのためのIFFTモジュールの入力/出力構成を提供する。
【００３３】
図7は、ホストデバイスにインストールされ得る、本明細書において説明される方法を実行するための実施形態の処理システム700のブロック図を示す。示されるように、処理システム700は、図7に示されるように配列される可能性がある(またはそのように配列されない可能性がある)プロセッサ704、メモリ706、およびインターフェース710〜714を含む。プロセッサ704は、計算および/またはその他の処理に関連するタスクを実行するように適合された任意の構成要素または構成要素の集合である可能性があり、メモリ706は、プロセッサ704によって実行するためのプログラミングおよび/または命令を記憶するように適合された任意の構成要素または構成要素の集合である可能性がある。実施形態において、メモリ706は、非一時的コンピュータ可読媒体を含む。インターフェース710、712、714は、処理システム700がその他のデバイス/構成要素および/またはユーザとコミュニケーションすることを可能にする任意の構成要素または構成要素の集合である可能性がある。たとえば、インターフェース710、712、714のうちの1つまたは複数は、プロセッサ704からホストデバイスおよび/またはリモートデバイスにインストールされたアプリケーションにデータ、制御、または管理メッセージを伝達するように適合され得る。別の例として、インターフェース710、712、714のうちの1つまたは複数は、ユーザまたはユーザデバイス(たとえば、パーソナルコンピュータ(PC)など)が処理システム700とインタラクション/コミュニケーションすることを可能にするように適合され得る。処理システム700は、長期的なストレージ(たとえば、不揮発性メモリなど)などの図7に示されていないさらなる構成要素を含む可能性がある。
【００３４】
一部の実施形態において、処理システム700は、電気通信ネットワークにアクセスしているかまたはそうでなければ電気通信ネットワークの一部であるネットワークデバイスに含まれる。一例において、処理システム700は、基地局、中継局、スケジューラ、コントローラ、ゲートウェイ、ルータ、アプリケーションサーバ、または電気通信ネットワーク内の任意のその他のデバイスなどの、ワイヤレスまたは有線電気通信ネットワーク内のネットワーク側デバイス内にある。その他の実施形態において、処理システム700は、移動局、ユーザ機器(UE)、パーソナルコンピュータ(PC)、タブレット、ウェアラブル通信デバイス(たとえば、スマートウォッチなど)、または電気通信ネットワークにアクセスするように適合された任意のその他のデバイスなどの、ワイヤレスまたは有線電気通信ネットワークにアクセスするユーザ側デバイス内にある。
【００３５】
一部の実施形態において、インターフェース710、712、714のうちの1つまたは複数は、処理システム700を、電気通信ネットワークを介してシグナリングを送信および受信するように適合されたトランシーバに接続する。図8は、電気通信ネットワークを介してシグナリングを送信および受信するように適合されたトランシーバ800のブロック図を示す。トランシーバ800は、ホストデバイスにインストールされ得る。示されるように、トランシーバ800は、ネットワーク側インターフェース802、カプラ804、送信機806、受信機808、信号プロセッサ810、およびデバイス側インターフェース812を含む。ネットワーク側インターフェース802は、ワイヤレスまたは有線電気通信ネットワークを介してシグナリングを送信または受信するように適合された任意の構成要素または構成要素の集合を含み得る。カプラ804は、ネットワーク側インターフェース802を介した双方向通信を容易にするように適合された任意の構成要素または構成要素の集合を含み得る。送信機806は、ベースバンド信号をネットワーク側インターフェース802を介した送信に好適な変調されたキャリア信号に変換するように適合された任意の構成要素または構成要素の集合(たとえば、アップコンバータ、電力増幅器など)を含み得る。受信機808は、ネットワーク側インターフェース802を介して受信されたキャリア信号をベースバンド信号に変換するように適合された任意の構成要素または構成要素の集合(たとえば、ダウンコンバータ、低雑音増幅器など)を含み得る。信号プロセッサ810は、ベースバンド信号をデバイス側インターフェース812を介した通信に好適なデータ信号に変換するか、またはその逆の変換を行うように適合された任意の構成要素または構成要素の集合を含み得る。デバイス側インターフェース812は、信号プロセッサ810とホストデバイス内の構成要素(たとえば、処理システム700、ローカルエリアネットワーク(LAN)ポートなど)との間でデータ信号を伝達するように適合された任意の構成要素または構成要素の集合を含み得る。
【００３６】
以下の参考文献が、本出願の対象に関連する。これらの参考文献の各々は、その全体が参照により本明細書に組み込まれる。
・[1] Mujtabaら、IEEE 802.11-04/887r1、「TGn Sync Complete Proposal」(2004年9月)(本明細書に写しを添付)
・[1] Suhら、題した米国仮出願第61/974,282号、「UL OFDMA Frame Format and Input/Output Configuration for IFFT module for OFDM(A) Numerologies」(2014年4月2日)
【００３７】
本発明が例示的な実施形態を参照して説明されたが、この説明は、限定する意味に取られるように意図されていない。例示的な実施形態の様々な修正および組合せならびに本発明のその他の実施形態は、説明を参照すると、当業者に明らかになるであろう。したがって、添付の請求項はすべてのそのような修正または実施形態を包含することが意図される。
【符号の説明】
【００３８】
100  ワイヤレスネットワーク
101  カバーエリア
110  アクセスポイント(AP)
120  モバイルデバイス
130  バックホールネットワーク
200  アップリンクOFDMAフレーム
220  RU
222  パイロットトーン
230  RU
232  パイロットトーン
240  RU
242  パイロットトーン
300  256トーンのペイロード
306  ヌルトーン
310  データおよびパイロットトーン
320  RU
400  OFDMAのリソースユニット(RU)
421  データトーン
422  パイロットトーン
500  実施形態の方法
700  実施形態の処理システム
704  プロセッサ
706  メモリ
710  インターフェース
712  インターフェース
714  インターフェース
800  トランシーバ
802  ネットワーク側インターフェース
804  カプラ
806  送信機
808  受信機
810  信号プロセッサ
812  デバイス側インターフェースcheck
【図１】
0006500916.tif 000004
【図２】
0006500916.tif 000005
【図３】
0006500916.tif 000006
【図４】
0006500916.tif 000007
【図５】
0006500916.tif 000008
【図６】
0006500916.tif 000009
【図７】
0006500916.tif 000010
【図８】
0006500916.tif 000011